(57)【要約】【課題】ユーザーの腕に対する衝撃力を減少できるレール式重心変換による衝撃傷害防止型入力装置を提供すること。【解決手段】入力装置本体の中に一個又は一個以上のスライド・レールを設置し、各スライド・レールの中にはそれぞれ少なくとも一個の重力緩衝ユニットを設ける。入力装置本体がユーザーの加える力を受け、定点から所要の位置へ移動すると、前記重力緩衝ユニットがスライド・レールに沿って入力装置本体の移動する方向に対して反対方向へ動くことによって、入力装置本体が移動する時に生じる惰性力を吸収し、ユーザーが入力装置を停止させる時に生じる反対方向の力を減少させ、更に惰性力と反対方向の力が相殺するときに生じる衝撃力を弱める。【選択図】図１
2007304882.tif 000002
【特許請求の範囲】
【請求項１】
内部に一個又は一個以上のスライド・レールを設けた入力装置本体と、
前記各スライ・レールの中にそれぞれ設けられた少なくとも一個の重力緩衝ユニットと、を含むことを特徴とする、
レール式重心変換による衝撃傷害防止型入力装置。
【請求項２】
前記スライド・レールの両端が相互に接合されていることを特徴とする、請求項１に記載のレール式重心変換による衝撃傷害防止型入力装置。
【請求項３】
前記スライド・レールは、環状レールであることを特徴とする、請求項２に記載のレール式重心変換による衝撃傷害防止型入力装置。
【請求項４】
前記スライド・レールは、矩形レールであることを特徴とする、請求項２に記載のレール式重心変換による衝撃傷害防止型入力装置。
【請求項５】
前記スライド・レールは、楕円形レールであることを特徴とする、請求項２に記載のレール式重心変換による衝撃傷害防止型入力装置。
【請求項６】
前記スライド・レールは、多角形レールであることを特徴とする、請求項２に記載のレール式重心変換による衝撃傷害防止型入力装置。
【請求項７】
前記各スライド・レールの相対軸方向は互に平行であることを特徴とする、請求項１に記載のレール式重心変換による衝撃傷害防止型入力装置。
【請求項８】
前記各スライド・レールの相対軸方向の角度は互に垂直であることを特徴とする、請求項１に記載のレール式重心変換による衝撃傷害防止型入力装置。
【請求項９】
前記各スライド・レールの相対軸方向の角度は任意の角度を呈してよいことを特徴とする、請求項１に記載のレール式重心変換による衝撃傷害防止型入力装置。
【請求項１０】
前記各スライド・レールは、単軸方向の長形レールであることを特徴とする、請求項１に記載のレール式重心変換による衝撃傷害防止型入力装置。
【請求項１１】
前記各スライド・レールの相対軸方向は互に平行であることを特徴とする、請求項１０に記載のレール式重心変換による衝撃傷害防止型入力装置。
【請求項１２】
前記各スライド・レールの相対軸方向は互に垂直であることを特徴とする、請求項１０に記載のレール式重心変換による衝撃傷害防止型入力装置。
【請求項１３】
前記各スライド・レールの相対軸方向は任意の角度を呈してよいことを特徴とする、請求項１０に記載のレール式重心変換による衝撃傷害防止型入力装置。
【請求項１４】
前記各スライド・レールの両端には何れも弾性緩衝ユニットを設けたことを特徴とする、請求項１０に記載のレール式重心変換による衝撃傷害防止型入力装置。
【請求項１５】
前記弾性緩衝部材は、ゴム・綿・スポンジ又は熱可塑性弾性体であることを特徴とする、請求項１４に記載のレール式重心変換による衝撃傷害防止型入力装置。
【請求項１６】
前記弾性緩衝部材は、スプリングであることを特徴とする、請求項１０に記載のレール式重心変換による衝撃傷害防止型入力装置。
【請求項１７】
前記重力緩衝ユニットは、高質量の重力物体であることを特徴とする、請求項１に記載のレール式重心変換による衝撃傷害防止型入力装置。
【請求項１８】
前記重力緩衝ユニットは、分銅であることを特徴とする、請求項１７に記載のレール式重心変換による衝撃傷害防止型入力装置。
【請求項１９】
前記重力緩衝ユニットは、鉛錘であることを特徴とする、請求項１７に記載のレール式重心変換による衝撃傷害防止型入力装置。
【請求項２０】
前記重力緩衝ユニットは、重力球であることを特徴とする、請求項１７に記載のレール式重心変換による衝撃傷害防止型入力装置。
【発明の詳細な説明】
【技術分野】
【０００１】
本発明は、レール式重心変換による衝撃傷害防止型入力装置に関し、特に、入力装置の重量を増やすと共にユーザーの手部の負担を減らし、操作の便利さ及び快適さをもたらすレール式重心変換による衝撃傷害防止型入力装置に関するものである。
【背景技術】
【０００２】
テクノロジーの進歩によって、入力装置は、従来のボール機構から現在普遍的に使用されている物理光学形式にまで進化し、ボール機構入力装置を定時的に払拭して保守しなければならない問題を解決したばかりでなく、さらに入力装置の重量も減らし、物理光学式入力装置を一層軽量で携帯に便利な物にした。
【０００３】
然し、入力装置を軽量化することは、果たして良いことばかりだろうか？実はそうではなく、多くのユーザーは、入力装置を軽量化した結果、移動の過程で不安定な状況が出現した。軽量自動車が高速運転中に車体が揺れるほど明らかではないが、それでも安定性の悪い問題があると訴えている。
【０００４】
この問題を解決する最も簡単で直接的な方式は、入力装置の重量を増やすことである。
然し、入力装置の軽量化は、安定性が悪いと言う問題を生じるが、入力装置の重量を増やすのも、ユーザーの手部の負担を増やす。
【０００５】
その理由は、ユーザーが入力装置を操作する時、入力装置を多角的に繰り返し移動して所要の位置に到達させるには、絶えず腕を動かして入力装置を操作しなければならないからである。
【０００６】
物理学の観点から見れば、入力装置の移動過程では、ユーザーが入力装置に力を加え、入力装置を一定の点から所要の位置へ移動させ、その移動過程において、ユーザーの加える力及び時間によって、入力装置に速度及び加速度が生じ、且つ前記速度及び加速度は入力装置が所要の位置へ移動した時点で最大に達する。
【０００７】
そして、ユーザーはこの時、通常入力装置をその位置に停止させたり又はさらに次の位置へ移動させることがよくある。
然るに、入力装置を停止させるには、その過程で、ユーザーは相反する力を加え、入力装置のこの時点での惰性力を相殺しなければならない。
【０００８】
一方、所要の位置に到達した入力装置は、この時速度及び加速度の最大瞬間にある。
従って、入力装置を停止させるには、ユーザーが加えるべき反対方向の力は、入力装置のこのときの惰性力と相殺できるものでなければならない。
一方、この反対方向の力は、通常入力装置に生じる惰性力より大きくなければならない。
【０００９】
従って、惰性力と反対方向の力を相殺する力は、ユーザーの腕にとって、かなりの衝撃力であり、入力装置の重量が重いほど、この衝撃力は大きくなる。
場合によっては、入力装置が所要の位置に到達しても、ユーザーは入力装置を停止させず、直ちに又入力装置を元の位置へ戻すことがある。
この場合、ユーザーの腕に対して生じる衝撃は一層大きくなる。
【００１０】
人体には自動修復の機能があり、或る時間休むと、徐々にこの衝撃力を吸収することができるが、若しユーザーが仕事上又は学業上長時間にわたって絶えず入力装置を操作しなければならず、体に自動修復する時間が与えられない場合、この衝撃力が絶えず累積された結果、ユーザーの手部に負担をかけ、腕に対する傷害を生じさせやすい。
【発明の開示】
【発明が解決しようとする課題】
【００１１】
本発明の目的は、入力装置の重量を増やすと共に、入力装置を移動させる過程に生じる惰性力を弱めることによって、ユーザーが入力装置を停止させる時に生じる反対方向の力を減少し、さらに惰性力及び反対方向の力が相殺されるときに生じる衝撃を弱め、ユーザーの腕に対する衝撃力を減少できるレール式重心変換による衝撃傷害防止型入力装置を提供することにある。
【課題を解決するための手段】
【００１２】
本発明は、入力装置が定点から所要の位置まで移動する際、所要の位置へ到達した時が速度及び加速度の最大瞬間であり、且つ入力装置の重量が重いほど、生じる惰性力も大きい事実に鑑み、入力装置の上にレール式重心変換緩衝構造を装着して入力装置の重量を増やすと共に、更に入力装置に生じる惰性力を吸収し、ユーザーが入力装置を停止する時生じる反対方向の力を減少させ、更に惰性力と反対方向の力が相殺する時の衝撃を抑えることによって、ユーザーの腕に対する衝撃傷害を減らすようにした。
【００１３】
すなわち、本願の第１発明は、内部に一個又は一個以上のスライド・レールを設けた入力装置本体と、前記各スライド・レールの中にそれぞれ設けられた少なくとも一個の重力緩衝ユニットと、を含むことを特徴とする、レール式重心変換による衝撃傷害防止型入力装置を提供する。
本願の第２発明は、前記スライド・レールの両端が相互に接合されていることを特徴とする、前記第１発明に記載のレール式重心変換による衝撃傷害防止型入力装置を提供する。
本願の第３発明は、前記スライド・レールは、環状レールであることを特徴とする、前記第２発明に記載のレール式重心変換による衝撃傷害防止型入力装置を提供する。
本願の第４発明は、前記スライド・レールは、矩形レールであることを特徴とする、前記第２発明に記載のレール式重心変換による衝撃傷害防止型入力装置を提供する。
本願の第５発明は、前記スライド・レールは、楕円形レールであることを特徴とする、、前記第２発明に記載のレール式重心変換による衝撃傷害防止型入力装置を提供する。
本願の第６発明は、前記スライド・レールは、多角形レールであることを特徴とする、前記第２発明に記載のレール式重心変換による衝撃傷害防止型入力装置を提供する。
本願の第７発明は、前記各スライド・レールの相対軸方向は互に平行であることを特徴とする、前記第１発明に記載のレール式重心変換による衝撃傷害防止型入力装置を提供する。
本願の第８発明は、前記各スライド・レールの相対軸方向の角度は互に垂直であることを特徴とする、前記第１発明に記載のレール式重心変換による衝撃傷害防止型入力装置を提供する。
本願の第９発明は、前記各スライド・レールの相対軸方向の角度は任意の角度を呈してよいことを特徴とする、、前記第１発明に記載のレール式重心変換による衝撃傷害防止型入力装置を提供する。
本願の第１０発明は、前記各スライド・レールは、単軸方向の長形レールであることを特徴とする、前記第１発明に記載のレール式重心変換による衝撃傷害防止型入力装置を提供する。
本願の第１１発明は、前記各スライド・レールの相対軸方向は互に平行であることを特徴とする、前記第１０発明に記載のレール式重心変換による衝撃傷害防止型入力装置を提供する。
本願の第１２発明は、前記各スライド・レールの相対軸方向は互に垂直であることを特徴とする、前記第１０発明に記載のレール式重心変換による衝撃傷害防止型入力装置を提供する。
本願の第１３発明は、前記各スライド・レールの相対軸方向は任意の角度を呈してよいことを特徴とする、前記第１０発明に記載のレール式重心変換による衝撃傷害防止型入力装置を提供する。
本願の第１４発明は、前記各スライド・レールの両端には何れも弾性緩衝ユニットを設けたことを特徴とする、前記第１０発明に記載のレール式重心変換による衝撃傷害防止型入力装置を提供する。
本願の第１５発明は、前記弾性緩衝部材は、ゴム・綿・スポンジ又は熱可塑性弾性体であることを特徴とする、前記第１４発明に記載のレール式重心変換による衝撃傷害防止型入力装置を提供する。
本願の第１６発明は、前記弾性緩衝部材は、スプリングであることを特徴とする、前記第１０発明に記載のレール式重心変換による衝撃傷害防止型入力装置を提供する。
本願の第１７発明は、前記重力緩衝ユニットは、高質量の重力物体であることを特徴とする、前記第１発明に記載のレール式重心変換による衝撃傷害防止型入力装置を提供する。
本願の第１８発明は、前記重力緩衝ユニットは、分銅であることを特徴とする、前記第１７発明に記載のレール式重心変換による衝撃傷害防止型入力装置を提供する。
本願の第１９発明は、前記重力緩衝ユニットは、鉛錘であることを特徴とする、前記第１７発明に記載のレール式重心変換による衝撃傷害防止型入力装置を提供する。
本願の第２０発明は、前記重力緩衝ユニットは、重力球であることを特徴とする、前記第１７発明に記載のレール式重心変換による衝撃傷害防止型入力装置を提供する。
【発明の効果】
【００１４】
本発明では、入力装置の上にレール式重力変換緩衝構造を装着して、入力装置の重量を増やすことが出来るのみならず、更に入力装置に生じる惰性力を吸収し、ユーザーが入力装置を停止する時に生じる反対方向の力を減少させ、更に惰性力と反対方向の力が相殺する時の衝撃を抑えることによって、ユーザーの腕に対する衝撃傷害を減らすことができる。
【発明を実施するための最良の形態】
【００１５】
以下、図面を参照しながら発明を実施するための最良の形態について説明する。
【実施例】
【００１６】
図１を参照する。本発明に係るレール式重心変換による衝撃傷害防止型入力装置であり、主として、入力装置本体１の中に一個又は一個以上のスライド・レール２を設置する。
【００１７】
各スライド・レール２の中にはそれぞれ少なくとも一個の重力緩衝ユニット３を設けてある。
前記スライド・レール２は、両端が相互に接合された環状レール２１、矩形レール、楕円形レール、又は多角形レールである。
そして前記重力緩衝ユニット３は、分銅・鉛錘又は重力球などの高質量重力物体である。
【００１８】
ユーザーが本発明に係るレール式重心変換による衝撃傷害防止型入力装置を操作する時は、入力装置本体１においてユーザーの加える力を受け、定点から所要の位置へ移動する時、前記重力緩衝ユニット３がスライド・レール２に沿って、入力装置本体１の移動する方向に対して逆方向への動作を行う。
【００１９】
従って、入力装置本体１が移動する時に生じる速度及び加速度の惰性力は、重力緩衝ユニット３によって逆方向へ働き、入力装置本体１が移動する時に生じる惰性力を吸収することによって、ユーザーが入力装置１を停止させる時に生じる反対方向の力を減少させる。
更に惰性力と反対方向の力が相殺するときに生じる衝撃力を弱め、ユーザーの腕に対する傷害を減らすことを示す。
【００２０】
又、図２及び図３を参照する。本発明に係るレール式重心変換による衝撃傷害防止型入力装置において、前記入力装置本体１の中に設けた各スライド・レール２の相対軸方向の配設は相互に平行又は垂直しておく。
場合によっては、各スライド・レール２の間の相対軸方向は任意の角度を呈し、入力装置本体１の各方向に対する移動に相対出来るようにしても良い。
【００２１】
又、図４を参照する。本発明に係るレール式重心変換による衝撃傷害防止型入力装置において、各スライド・レールは、単軸方向の長形レール２２であってもよい。
各スライド・レール２の両端にはいずれも弾性緩衝ユニット４を設けてある。
前記弾性緩衝ユニット４は、ゴム、綿、スポンジ、熱可塑性弾性体またはスプリング４１を含む。
【００２２】
ユーザーが本発明に係るレール式重心変換による衝撃傷害防止型入力装置を操作して移動する時は、入力装置本体１にユーザーの加える力を受け、定点から所要の位置へ移動した時は、前記重力緩衝ユニット３がスライド・レール２に沿って、入力装置本体１の移動方向と反対の方向へ動く。
従って、入力装置本体１が移動する時に生じる速度及び加速度の惰性力は、重力緩衝ユニット３の反対方向への動作によって、入力装置本体１が移動する時に生じる惰性力を吸収する。
【００２３】
そして、重力緩衝ユニット３が反対方向へスライド・レール２の末端まで逆行すると、弾性緩衝ユニット４によって重力緩衝ユニット３の衝撃力を吸収することによって、重力緩衝部材２がスライド・レール２に衝突して衝撃力が生じたりスライド・レール２を破壊したりすることを避ける。
【００２４】
又、各スライド・レール２の相対軸方向は相互に平行・垂直又は任意の角度を呈し、入力装置本体１の各方向に対する移動に相対出来るようにしても良い。
【図面の簡単な説明】
【００２５】
【図１】本発明に係るレール式重心変換による衝撃傷害防止型入力装置（マウス）の斜視断面図である。
【図２】本発明に係るレール式重心変換による衝撃傷害防止型入力装置の第一実施例の斜視断面図である。
【図３】本発明に係るレール式重心変換による衝撃傷害防止型入力装置の第二実施例の斜視断面図である。
【図４】本発明に係るレール式重心変換による衝撃傷害防止型入力装置の第三実施例の斜視断面図である。
【図５】本発明に係るレール式重心変換による衝撃傷害防止型入力装置の第四実施例の斜視断面図である。
【図６】本発明に係るレール式重心変換による衝撃傷害防止型入力装置の第五実施例の斜視断面図である。
【図７】本発明に係るレール式重心変換による衝撃傷害防止型入力装置の第六実施例の斜視断面図である。
【図８】本発明に係るレール式重心変換による衝撃傷害防止型入力装置の第七実施例の斜視断面図である。
【符号の説明】
【００２６】
１・・・・・・入力装置本体
２・・・・・・スライド・レール
２１・・・・・環状レール
２２・・・・・単軸方向の長形レール
３・・・・・・重力緩衝ユニット
４・・・・・・弾性緩衝ユニット
４１・・・・・スプリング
【図１】
2007304882.tif 000003
【図２】
2007304882.tif 000004
【図３】
2007304882.tif 000005
【図４】
2007304882.tif 000006
【図５】
2007304882.tif 000007
【図６】
2007304882.tif 000008
【図７】
2007304882.tif 000009
【図８】
2007304882.tif 000010